(57)【特許請求の範囲】
【請求項１】
光源と、
前記光源からの光束を部分的に遮光可能な遮光機構を有する照明光学系と、
前記照明光学系からの照明光によって照明される光変調装置と、を備え、
前記遮光機構は、所定の回転軸のまわりに回動することで遮光領域の大きさを変化させる一対の遮光板部を有し、
前記遮光板部は、最大遮光位置とされた際に、前記照明光学系の光軸に略直交する第１遮光部と、前記第１遮光部に対して前記照明光の射出側に、先端側が前記第１遮光部から離れるように前記第１遮光部に対して傾斜する第２遮光部とを有し、前記第１遮光部および前記第２遮光部は１つの基材を折り返すことにより構成され、互いに重ね合わせられているとともに、
前記最大遮光位置とされた際に、前記一対の遮光板部のうち、一方の前記遮光板部の第１遮光部は前記光源側に設けられ、他方の前記遮光板部の第１遮光部は前記一方の遮光板部の第１遮光部に対して前記光軸に沿う方向に離間して設けられ、
前記一方の遮光板部の第２遮光部は、前記他方の遮光板部の第２遮光部より長く構成されていることを特徴とするプロジェクター。
【請求項２】
折り返された前記基材の両端部が互いにかしめ固定され、
前記遮光板部の長さ方向一方の端部側に折り返し部が形成されていることを特徴とする請求項１に記載のプロジェクター。
【請求項３】
少なくとも前記基材の折り返された一方の端部が、前記基材よりも熱伝導率の小さい連結部材に対してかしめ固定されていることを特徴とする請求項１または２に記載のプロジェクター。
【請求項４】
前記基材が前記光軸および前記遮光板部の開閉方向に交差する方向から折り返されていることを特徴とする請求項１から３のいずれか一項に記載のプロジェクター。
【発明の詳細な説明】
【技術分野】
【０００１】
本発明は、プロジェクターに関するものである。
【背景技術】
【０００２】
照明装置の調整のために遮光板部を用いたプロジェクターとして、例えば回動によって開閉可能な一対の板状の遮光板部を、照明装置内の一対のレンズアレイ間に照明光軸を挟んで対象に配置して、照明光の遮光量の調整を行うものが知られている。また、このような遮光板部としてブロック状の遮光体を用い、当該遮光体に切り欠いたような窪みを設けて遮光量の変化を調整するものも知られている。ところが、このような切欠きを有するブロック状の遮光体を遮光板部として用いる場合、遮光量の変化を所望のものとするために当該遮光体の端部に複雑な曲面を形成する必要がある。なお、この場合、当該遮光体のための空間も必要となるが、一対のレンズアレイ周辺には空間的制限があり、ブロック状の遮光体を設置するのは困難な場合がある。
【０００３】
そこで、遮光部が第１遮光板部と第２遮光板部とを有してなり、第１遮光板部が切欠き部を有することにより、遮光量の変化を比較的なだらかなものにすることができ、かつ、第２遮光板部が切欠き部に対応する光の遮光領域を変化させ、第１遮光板部の全閉時における切欠き部に対応する光束の全部または一部を遮光する構成が提案されている（特許文献１）。
【先行技術文献】
【特許文献】
【０００４】
【特許文献１】特開２０１０−２１７６５１号公報
【発明の概要】
【発明が解決しようとする課題】
【０００５】
しかしながら、第１遮光板部と第２遮光板部とを別々に形成してから、かしめ、溶接などで一体化しているため、部品点数および組立工数の増加、長期的な信頼性が確保できにくいといった課題がある。
【０００６】
本発明は、上記従来技術の問題点に鑑み成されたものであって、色むらを抑えてコントラスト比が高いプロジェクターを安価で簡単な構成で提供することを目的の一つとしている。
【課題を解決するための手段】
【０００７】
本発明のプロジェクターは、光源と、前記光源からの光束を部分的に遮光可能な遮光機構を有する照明光学系と、前記照明光学系からの照明光によって照明される光変調装置と、を備え、前記遮光機構は、所定の回転軸のまわりに回動することで遮光領域の大きさを変化させる一対の遮光板部を有し、前記遮光板部は、最大遮光位置とされた際に、前記照明光学系の光軸に略直交する第１遮光部と、前記第１遮光部に対して前記照明光の射出側に、先端側が前記第１遮光部から離れるように前記第１遮光部に対して傾斜する第２遮光部とを有し、前記第１遮光部および前記第２遮光部は１つの基材を折り返すことにより構成され、互いに重ね合わせられているとともに、前記最大遮光位置とされた際に、前記一対の遮光板部のうち、一方の前記遮光板部の第１遮光部は前記光源側に設けられ、他方の前記遮光板部の第１遮光部は前記一方の遮光板部の第１遮光部に対して前記光軸に沿う方向に離間して設けられ、前記一方の遮光板部の第２遮光部は、前記他方の遮光板部の第２遮光部より長く構成されていることを特徴とする。
【０００８】
このような構成によれば、第１遮光部および第２遮光部を１つの基材を折り返すことで構成することにより、部品点数を削減できるとともに、溶接等の作業が不要になるため製造が容易になる。また、溶接による変色等も防止できる。さらに、使用時にこれら第１遮光部および第２遮光部が完全に分離してしまうようなことがないため、長期的な信頼性も確保される。
【０００９】
また、折り返された前記基材の両端部が互いにかしめ固定され、前記遮光板部の長さ方向一方の端部側に折り返し部が形成されている構成としてもよい。
このような構成によれば、かしめ孔によって両端部の位置決めを行うことができるため、位置決め用の孔が不要になり小型化される。また、製造が容易である。
【００１０】
また、少なくとも前記基材の折り返された一方の端部が、前記基材よりも熱伝導率の小さい連結部材に対してかしめ固定されている構成としてもよい。
このような構成によれば、光源からの照射を受けた遮光板部の温度が連結部材を介して駆動部に伝達されにくくなる。
【００１１】
また、前記基材が前記光軸および前記遮光板部の開閉方向に交差する方向から折り返されている構成としてもよい。
このような構成によれば、基材の折り返し部が遮光板部の開閉方向と異なるので良好な遮光特性を有する遮光板部が得られる。
【図面の簡単な説明】
【００１２】
【図１】実施形態のプロジェクターの構成を示す斜視図。
【図２】プロジェクターの概略構成を模式的に示す図。
【図３】プロジェクターの内部構成を示す図。
【図４】調光機構を中心に示す部分拡大断面図。
【図５】調光機構の構成を示す分解図。
【図６】遮光板部とレンズアレイとの位置関係を示す図。
【図７】（ａ），（ｂ）は、調光機構の全体の構成を具体的に示す図。
【図８】一対の遮光シャッターの構成を具体的に示す図であって、（ａ）は、第１レンズアレイ側から見た斜視図、（ｂ）は、第２レンズアレイ側から見た傾斜図。
【図９】（ａ）は、一対の遮光シャッターの構成を示す平面図、（ｂ）は、（ａ）の側面図。
【図１０】調光機構の動作を説明するための斜視図。
【図１１】調光機構の動作を示すための断面図。
【図１２】最大開放状態（全開状態）を示す図であって、（ａ）は側面図、（ｂ）は光軸側から見た図。
【図１３】最大遮光状態（全閉状態）を示す図であって、（ａ）は側面図、（ｂ）は光軸側から見た図。
【図１４】調光機構の動作による遮光量（照明光の通過量）の変化について詳細な説明をするための概念図。
【図１５】調光機構の他の構成例を示す図。
【発明を実施するための形態】
【００１３】
以下、本発明の実施形態につき、図面を参照して説明する。なお、以下の説明に用いる各図面では、各部材を認識可能な大きさとするため、各部材の縮尺を適宜変更している。
【００１４】
［プロジェクター］
以下、本実施形態に係るプロジェクターについて、図面を参照して説明する。
本実施形態のプロジェクターは、光源から射出された光束を画像情報に応じて変調して画像光を形成し、その画像光を拡大投写する。
図１は、本実施形態のプロジェクターの構成を示す斜視図であり、ケーブルカバーを取り外した図である。図２は、プロジェクターの概略構成を模式的に示す図である。
【００１５】
図１に示すように、プロジェクター１は、本体（プロジェクター本体）１Ａが外装筐体２で囲まれた構成になっている。外装筐体２は、合成樹脂製であり、筐体上部を構成するアッパーケース（第１ケース）２１、筐体下部を構成するロアーケース（第２ケース）２２等を備えており、これらは、ネジ等により固定されている。
【００１６】
また、外装筐体２内には、図２に示すように、制御部１０、光学ユニット３、電源ユニット４、冷却ファン５１、および排気ファン５２等が配置されている。光学ユニット３は、平面視略Ｌ字状に構成され、光源３１１を有する光源装置３１、電気光学装置３５、および投写光学装置（投写光学系）３６を備えている。光学ユニット３は、制御部１０による制御の下、光源３１１から射出された光束を光学的に処理して画像情報に応じた画像光を電気光学装置３５にて形成し、この画像光を投写光学装置３６によってスクリーン等に画像を表示させる。
【００１７】
光源装置３１は、外装筐体２の端部に配置され、投写光学装置３６は、外装筐体２の略中央部に配置される。なお、以下においては、説明の便宜上、光源装置３１から光束が射出される方向を＋Ｘ方向、電気光学装置３５から画像光が射出される方向を＋Ｙ方向とし、外装筐体２の各ケース２１，２２の組み合わせ方向をＺ方向とする。
【００１８】
制御部１０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等が実装された回路基板として構成される。制御部１０は、コンピューターとして機能するものであり、プロジェクター１の動作の制御、例えば、画像の投写に関わる制御等を行う。なお、図２中に示す制御部１０の位置は模式的に示すものであって実際の位置とは異なっている。詳しくは後述するが、実際に制御部１０は光学ユニット３を覆うようにして配置される。
【００１９】
そして、図１に戻り、上記各部品を収容している外装筐体２のアッパーケース２１の上面には凹部２１０が形成され、この凹部２１０を構成する一方の傾斜面側には、さらに平面視矩形状の凹部２１１が形成されている。そして、この凹部２１１の底面には投写窓２０１が設けられており、投写光学装置３６から射出された画像光は、この投写窓２０１から外装筐体２の後方（図２のランプカバー２４側）に向かって射出される。ここで、投写窓２０１上に投写光を遮る物がユーザーによって置かれた場合には、上記した異物検出センサー（不図示）によって検出できるようになっている。制御部１０は、異物検出センサー（不図示）から異物検出信号が入力されるとユーザーへ警告する。
【００２０】
アッパーケース２１の前方には、プロジェクター１の各種設定を行うための複数の操作キーによって構成される操作部２３が設けられている。また、アッパーケース２１の後方には、光源装置３１の交換用の開口部２１２が形成されており、この開口部２１２は、ランプカバー２４がアッパーケース２１に装着されることによって閉塞される。
【００２１】
外装筐体２の左側方（側面２Ｂ）には、外気を取り込むための吸気口２２０が設けられている。吸気口２２０は、複数の矩形状のスリット孔で形成されており、この吸気口２２０の内側には、図示しない、防塵フィルターが配置されている。そして、光学ユニット３は、この吸気口２２０から取り込まれて防塵フィルターを通過した空気によって冷却される。
【００２２】
また、外装筐体２の右側方（側面２Ｃ）には、内部の暖気を排出するための排気口２２２が設けられている。排気口２２２は、複数のスリット孔で形成されており、光源３１１（図２）の点灯等によって温まった外装筐体２内の空気は、この排気口２２２から外部に排出される。ロアーケース２２には、排気口２２２の前方に矩形状の凹部２１１が形成されており、この凹部２１１によって形成される空間内に、プロジェクター１に接続される複数のケーブル等が収容されている。
【００２３】
［光学ユニット］
次に、光学ユニットの各構成要素について図２および図３を用いて詳しく説明する。
図３は、プロジェクターの内部構成を示す図である。
図２および図３に示すように、光学ユニット３は、平面視Ｌ字状を呈し、光源装置３１、照明光学装置（照明光学系）３２、色分離光学装置３３、リレー光学装置３４、電気光学装置３５、投写光学装置３６、およびこれら各光学部品３１〜３６を所定位置に配置する光学部品用筐体３７を備える。
【００２４】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２５】
照明光学装置３２は、第１レンズアレイ３２１、第２レンズアレイ３２２、偏光変換素子３２３、重畳レンズ３２４および調光機構（遮光機構）３２５を備える。
第１レンズアレイ３２１は、光源３１１から射出された光束の光軸Ｌ方向から見て略矩形の輪郭を有する小レンズがマトリックス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶ライトバルブ（光変調素子）３５２の表面に略重畳させる。偏光変換素子３２３は、第２レンズアレイ３２２から射出されたランダム偏光光を液晶ライトバルブ３５２で利用可能な略１種類の偏光光に揃える機能を有する。
【００２６】
調光機構３２５は、光源３１１から射出された光束の一部を遮光する遮光シャッター（遮光部）３２６，３２７（図４）を備え、光束の通過光量を調整する機能を有している。詳しい構成については後述するが、この調光機構３２５は、上記制御部１０による制御のもと、光源３１１から射出され、第１レンズアレイ３２１を透過した光束の一部を遮光シャッター３２６，３２７（図４）にて遮光して第２レンズアレイ３２２に入射する光量、ひいては、電気光学装置３５に入射する光量を調整し、投写画像のコントラスト向上に寄与するものである。
【００２７】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２８】
リレー光学装置３４は、入射側レンズ３４１、リレーレンズ３４３、および反射ミラー３４２，３４４を備え、第２のダイクロイックミラー３３２を透過したＲ光をＲ光用の液晶ライトバルブ３５２Ｒまで導く機能を有する。なお、光学ユニット３は、リレー光学装置３４がＲ光を導く構成としているが、これに限らず、例えば、Ｂ光を導く構成としてもよい。
【００２９】
電気光学装置３５は、入射側偏光板３５１、光変調装置としての液晶ライトバルブ３５２、射出側偏光板３５３、色合成光学装置としてのクロスダイクロイックプリズム３５４を備え、色分離光学装置３３から射出された各色光を画像情報に応じて変調する。
【００３０】
投写光学装置３６は、複数のレンズを組み合わせた組レンズと、非球面形状の反射ミラー３８を有して構成されている。投写光学装置３６は、電気光学装置３５にて変調された光束を組レンズから反射ミラー３８に射出し、反射ミラー３８によって光束を広角化するように反射して投写する。このような構造とすることにより、投写距離の短い、いわゆる短焦点プロジェクターとして構成することができる。なお、組レンズから反射ミラー３８に射出する光束の方向を投写光学装置３６内の投写方向という。
【００３１】
電源ユニット４は、外部電源から供給された交流電力を整流、平滑化し、光源３１１および制御部等に出力する。電源ユニット４は、光源装置３１の下方に配設されている。具体的には、ロアーケース２２の底部に装着される電源ケース２０（図３）内に収容されている。
【００３２】
冷却ファン５１は、回転軸方向から吸入した空気を回転接線方向に吐出するシロッコファンで構成され、吸気口２２０の内側であって、リレー光学装置３４の近傍に配置されている。この冷却ファン５１は、外気を吸入する吸入口５１１が吸気口２２０側を向き、空気を吐出する吐出口５１２がリレー光学装置３４側に向くように配置される。そして、冷却ファン５１は、吸入口５１１が取り込んだ外気を発熱するリレー光学装置３４に向けて吐出することによって、リレー光学装置３４を冷却する。なお、以下では、冷却ファン５１が空気を吐出する方向を「吐出方向」という。
【００３３】
排気ファン５２は、軸流ファンで構成され、排気口２２２の内側であって光源装置３１との間に配置される。この排気ファン５２は、光源装置３１等を冷却して温められた空気を、排気口２２２を介して外装筐体２の外部に排出する。
【００３４】
制御部１０は、ＣＰＵ（Central Processing Unit）、ＲＡＭ（Random Access Memory）及びＲＯＭ（Read Only Memory）等が実装されたメイン回路基板５３およびドライバー基板５４を備えて構成され、使用者の操作に応じて、或いは、自律的に、プロジェクター１を制御する。
【００３５】
例えば、制御部１０は、前述の光源装置３１の点灯を制御するほか、操作部２３を介して入力される画像信号に応じた駆動信号を生成し電気光学装置３５に出力する。この駆動信号生成の際に、制御部１０は、使用者により設定されたパラメーターに応じた画質調整等の処理を実行する。このような制御部１０は、例えば、記憶部、情報取得部、画像生成部、駆動制御部及び情報保存部等を備える。
【００３６】
[調光機構]
次に、調光機構の構成について詳述する。
図４は、調光機構を中心に示す部分拡大断面図であり、図５は、調光機構の構成を示す分解図であり、図６は、遮光板部とレンズアレイとの位置関係を示す図である。
図４に示すように、調光機構３２５は、第１レンズアレイ３２１と第２レンズアレイ３２２との間に配設される一対の遮光シャッター（遮光板部）３２６，３２７を有して構成されている。このような調光機構３２５は、図５に示すように照明光学装置３２の側方から光学部品用筐体３７の側方側から各遮光シャッター３２６，３２７を差し込むように挿入されて、板部材３６０が光学部品用筐体３７に対してねじ止めされることで組み付けられている。調光機構３２５は、組み込まれた状態において、図６に示すように各遮光シャッター３２６，３２７が第１レンズアレイ３２１と第２レンズアレイ３２２との間においてこれらの面方向に沿って並ぶように上下に配置される。
【００３７】
図７（ａ），（ｂ）は、調光機構の全体の構成を具体的に示す図である。また、図８は一対の遮光シャッターの構成を具体的に示す図であって、（ａ）は第１レンズアレイ側から見た斜視図、（ｂ）は第２レンズアレイ側から見た斜視図である。図９（ａ）は、一対の遮光シャッターの構成を示す平面図、図９（ｂ）は（ａ）の側面図である。
【００３８】
図７（ａ），（ｂ）に示すように、調光機構３２５は、光源装置３１からの光束を部分的に遮光可能な一対の遮光シャッター３２６，３２７と、一対の遮光シャッター３２６，３２７を動作させる駆動部３２９とを備える。
駆動部３２９は、複数のギア部３６１，３６２，３６３，３６４と、ギア部３６４を回転させるためのステッピングモーター３６５と、これらを保持する板部材３６０とを備えている。ギア部３６４は、ステッピングモーター３６５の回転軸に取り付けられた駆動歯車であって、時計周り方向あるいは反時計周り方向に回転する。ギア部３６１〜３６３は従動歯車であって、ギア部３６４の回転に伴って連動する。
【００３９】
遮光シャッター３２６は、第１ギア部３６１を介して板部材３６０に取り付けられており、遮光シャッター３２７は、第２ギア部３６２を介して板部材３６０に取り付けられている。第１ギア部３６１と第２ギア部３６２は互いに噛合しており、第２ギア部３６２側に第３ギア部３６３が噛合している。第３ギア部３６３は、ステッピングモーター３６５に連結された第４ギア部３６４に噛合している。そして、この第４ギア部３６４を介してステッピングモーター３６５の駆動力が第３ギア部３６３に伝達されて第２ギア部３６２および第１ギア部３６１が回転し、遮光シャッター３２６，３２７が移動する構成となっている。これら遮光シャッター３２６，３２７は、光軸Ｌに交差する各ギア部３６１，３６２の回転軸周りに互いに連動して移動することになる。
【００４０】
また、調光機構３２５は、第１ギア部３６１と第２ギア部３６２との噛み合い位置を検出するための噛み合い位置検出センサー３６６を有している。この噛み合い位置検出センサー３６６は光学素子からなり、例えば、第２ギア部３６２の歯数を検出できる箇所に設置されている。この噛み合い位置検出センサー３６６において第２ギア部３６２の歯数を検知することにより、当該第２ギア部３６２の回転量を検出するようになっている。上述したように、遮光シャッター３２７は第２ギア部３６２の回転に伴って移動し、遮光シャッター３２６は第１ギア部３６１の回転に伴って移動する。すなわち、第１ギア部３６１は第２ギア部３６２の回転量に応じて回転するため、噛み合い位置検出センサー３６６によって第２ギア部３６２の回転量を検出することにより、遮光シャッター３２６および遮光シャッター３２７の移動位置を制御することができる。
【００４１】
図８（ａ），（ｂ）および図９では、最大遮光位置における遮光シャッター３２６，３２７の構成および配置状態の様子を示している。これらの図に示すように、遮光シャッター３２６，３２７は、最大遮光位置において光軸Ｌ上で互いの先端部３２６ａ，２３７ａが光軸方向に重なるような配置となっている。
【００４２】
遮光シャッター３２６，３２７は、それぞれ１枚の基材１００からなり、この基材１００の長手方向で折り返すことによって所望の形状に形作られている。遮光シャッター３２６は、基材１００Ａの一部が折り返されたことで互いに対向する遮光板部６と遮光板部７とを有しており、最大遮光位置において光軸Ｌ（図９（ｂ））に略直交する方向に延在する遮光板部６Ａの遮光部（第１遮光部）６１ａに対して、遮光板部７Ａの遮光部（第２遮光部）７１ａが傾斜した構成となっている。具体的に、遮光部７１ａは、遮光部６１ａに対して照明光の射出側に、先端側が遮光部６１ａから離れるように遮光部６１ａに対して傾斜して構成される。
【００４３】
基材１００はアルミニウム板からなり、その折り返し方向は光軸Ｌおよび遮光板部６，７の開閉方向に交差する方向（回転軸Ｏの軸方向）に一致する。そのため、遮光板部６，７の長さ方向一方の端部側に折り返し部１１０が形成される。折り返された基材１００の両端部１０１ａ，１０１ｂは、各々に予め形成されたかしめ孔１０２を利用して位置合わせされた後、かしめピン（不図示）を用いてかしめられる。これにより、折り返し部１１０の反力によって端部１０１ａ，１０１ｂ同士が離れてしまうことなく確実に固定される。
【００４４】
また、端部１０１ｂに形成されたもう一つのかしめ孔１０３には、連結部材３０１（３０２）を接合させるためのかしめピン（不図示）が挿入される。遮光シャッター３２６は連結部材３０１を介して第１ギア部３６１に連結され、遮光シャッター３２７は連結部材３０２を介して第２ギア部３６２に連結される。各連結部材３０１，３０２と各ギア部３６１，３６２とは固定ピン１２０などを用いて固定される。
【００４５】
連結部材３０１，３０２には基材１００よりも熱伝導率の低い材料が用いられ、本実施形態ではＳＵＳからなっている。これにより、光源装置３１から光の照射を受けて加熱された遮光シャッター３２６，３２７の熱が、駆動部３２９のギア部３６１、３６２に伝導するのを抑制できる。
【００４６】
同様に、遮光シャッター３２７についても１枚の基材１００の長手方向で折り返されることにより構成されている。遮光シャッター３２７は、基材１００Ａの一部が折り返されたことで互いに対向する遮光板部６と遮光板部７とを有しており、最大遮光位置において光軸Ｌ（図９（ｂ））に略直交する方向に延在する遮光板部６Ａの遮光部（第１遮光部）６１ａに対して、遮光板部７Ａの遮光部（第２遮光部）７１ａが傾斜した構成となっている。
【００４７】
ここで、光軸Ｌに直交する方向において遮光部６１ａ，６１ｂの重なり具合は互いに等しく、光軸Ｌから各遮光部６１ａ，６１ｂの先端までの距離もそれぞれ等しい。
また、光軸Ｌを挟んで互いに所定の距離をおいて対向配置される。遮光部７１ａ，７１ｂの先端から光軸Ｌまでの距離はそれぞれ等しい。さらに、遮光部７１ａ，７１ｂと第２レンズアレイ３２２との距離もそれぞれ等しい構成とされている。これにより、遮光シャッター３２６，３２７の回転時に遮光部７１ａ，７１ｂにおける遮光位置が光軸Ｌを介して互いに同じ対照的な位置となり、所望の照度分布となる。
【００４８】
また、本実施形態の遮光シャッター３２６および遮光シャッター３２７は光軸方向に沿って離れる方向に互いにシフトしており、遮光シャッター３２６の方が遮光シャッター３２７よりも第２レンズアレイ３２２から離れた位置に配置されていることから、各遮光部７１ａ，７１ｂの先端と第２レンズアレイ３２２との距離を等しくするために、光軸方向前方（第１レンズアレイ３２１）側に位置する遮光シャッター３２７の遮光部７１ｂは、遮光シャッター３２６の遮光部７１ｂよりも長さを有している。
【００４９】
また、遮光板部６Ａ，６Ｂには、各々の幅方向両端側に第１切欠部３２０がそれぞれ形成されている。これら第１切欠部３２０は、最大遮光位置において光源装置３１からの照射光を完全遮光してしまうのを防止するためのものであり、各第１切欠部３２０を通じて照射光の一部が漏れ光として出射する。
さらに、遮光板部７Ａ，７Ｂの先端部３２７ａ，３２７ｂには、その幅方向中央部分に円弧状の第２切欠部３３０が形成されている。これら第２切欠部３３０は、光源装置３１から射出された照明光の光束中央側の遮光量を制御するためのものである。
【００５０】
つまり、遮光シャッター３２６は、全開状態から全閉状態に至るまでの間、遮光板部７Ａに形成された第２切欠部３３０により光束中心側の遮光量の調整を行うよう機能する。また、全閉状態にあるときには、遮光板部６Ａの遮光部６１ａにより光束中央の遮光量を最大にしつつ、第１切欠部３２０により光束周辺の遮光量の調整を行うよう機能する。
【００５１】
同様に、遮光シャッター３２７は、全開状態から全閉状態に至るまでの間、遮光板部７Ｂに形成された第２切欠部３３０により光束中心側の遮光量の調整を行うよう機能する。また、全閉状態にあるときには、遮光板部６Ｂの遮光部６１ｂにより光束中央の遮光量を最大にしつつ、第１切欠部３２０により光束周辺の遮光量の調整を行うよう機能する。
【００５２】
図１０は、調光機構の動作を説明するための斜視図であり、図１１は、調光機構の動作を示すための断面図である。図１２は、最大開放状態（全開状態）を示す図であり、図１３は、最大遮光状態（全閉状態）を示す図である。
図１０に示すように、調光機構３２５のステッピングモーター３６５の回転は、モーターの回転軸に接続された第４ギア部３６４を介して第３ギア部３６３に伝達される。第３ギア部３６３の回転に伴って第２ギア部３６２および第１ギア部３６１が回転する。このとき、第１ギア部３６１および第２ギア部３６２は同期して互いに反対方向へ回転する。これにより調光機構３２５は、遮光シャッター３２６および遮光シャッター３２７を同期して観音開き状に開閉移動させることができる。この際、遮光シャッター３２６，３２７は、ステッピングモーター３６５の正転又は逆転に伴ってその状態を全開状態および全閉状態へと変化させる。例えば、図１１に示すように、遮光シャッター３２６，３２７は各ギア部３６１，３６２の中心軸ＡＸ１，ＡＸ２を中心とする回動動作により、最大遮光状態および全開状態になったりする。
【００５３】
具体的に、図中の実線で示す最大遮光状態では、遮光シャッター３２６，３２７が第２レンズアレイ３２２に略平行となって先端部３２６ａ，３２７ａが光軸Ｌ上に並ぶ。図中の破線で示す全開状態では、遮光シャッター３２６，３２７が第２レンズアレイ３２２に略平行な全閉時の状態から所定の回動角度θ１（略９０°）回転し、先端部３２６ａ，３２７ａが照明光の光路外（有効範囲外）に位置し、照明光の遮光がない。
【００５４】
また、図示してはいないが、中間の段階として、遮光シャッター３２６，３２７が第２レンズアレイ３２２に略平行な全閉時に比べて所定の回動角度θ２（０°＜θ１＜θ２）だけ回転し、先端部３２６ａ，３２７ａが光軸Ｌからある程度離れて一部の照明光の遮光を行う状態にもなる。
【００５５】
次に、調光機構の動作について具体的に述べる。
図１２は、一対の遮蔽シャッターの全開状態を示す図であって、（ａ）は側面図、（ｂ）は光軸側から見た図である。
全閉状態から全開状態へと遮光シャッター３２６，３２７を移動させる場合、図１２（ａ），（ｂ）に示すように、ステッピングモーター３６５が反時計回りに回転すると、これに伴って第４ギア部３６４が同方向へ回転し、第３ギア部３６３は時計回りに回転する。第２ギア部３６２は第３ギア部３６３に同期して反時計回りへ回転することから、これに伴って第１ギア部３６１が時計回りへ回転する。これにより、遮光シャッター３２６，３２７は互いに最も離れた全開状態となる。
【００５６】
図１３は、最大遮光状態（全閉状態）を示す図であって、（ａ）は側面図、（ｂ）は光軸側から見た図である。
全開状態から全閉状態へと遮光シャッター３２６，３２７を移動させる場合、図１３（ａ），（ｂ）に示すように、ステッピングモーター３６５が時計周りに回転すると、これに伴って第４ギア部３６４が同方向へ回転し、第３ギア部３６３が反時計回りに回転する。第２ギア部３６２は第３ギア部３６３に同期して時計回りへ回転し、これに伴って第１ギア部３６１が反時計回りに回転する。これにより、遮光シャッター３２６，３２７は互いに最も近づいて光軸Ｌと一致する位置において互いに部分的に重なり、最大遮光状態となる。
【００５７】
次に、調光機構による遮光領域の変化について述べる。
図１４は、調光機構の動作による遮光量（照明光の通過量）の変化について詳細な説明をするための概念図である。
図１４に示すように、調光機構は、遮光シャッター３２６，３２７をパターンＰ１〜Ｐ４のように回動させることで光源３１１からの照明光ＳＬの光束の遮光領域を変化させ、照明光ＳＬの調光を行う。パターンＰ１は、全開の状態（回動角度が略９０°の状態）を示し、パターンＰ４は、全閉の状態（回動角度が略０°の状態）を示している。パターンＰ１〜Ｐ４は、回転角度θ１（０°＜θ３＜θ２＜θ１（９０°））による遮光状態の違いを示している。
【００５８】
パターンＰ１の全開状態の場合、回動角度θ１の値が９０°であり、遮光シャッター３２６，３２７は光源３１１からの光束を遮光しない位置に配置される。この場合、光源３１１から射出された光束のうち全ての成分が通過して照明光ＳＬとして利用される。
【００５９】
このような全開の状態から遮光領域を増やすように遮光シャッター３２６，３２７を回転させてパターン２の状態にした場合、まず、遮光板部７Ａ，７Ｂによって照明光ＳＬの一部が遮光される。この際、照明光ＳＬのうち中央側の光は遮光板部７Ａ，７Ｂの各第２切欠部３３０を透過する。
【００６０】
そして、さらに遮光領域を増やすように遮光シャッター３２６，３２７をさらに回転させて、パターンＰ２の状態よりも閉じたパターンＰ３の状態にした場合、遮光板部６Ａ，６Ｂおよび遮光板部７Ａ，７Ｂによって照明光ＳＬがさらに遮光される。この際には、照明光ＳＬの中心側の光は一部が遮光板部６Ａ，６Ｂによって遮光されながら第２切欠部３３０を透過する。
【００６１】
そして、遮光シャッター３２６，３２７を閉じてパターンＰ４の全閉状態にした場合、照明光ＳＬは遮光板部６Ａ，６Ｂのみによって遮光される。この際、照明光ＳＬは遮光板部６Ａ，６Ｂによって全て遮光されるわけではなく、照明光の中心側の光は先端の遮光部６１ａ，６１ｂによって遮光されるが、これら遮光部６１ａ，６１ｂの両側に設けられた一対の第１切欠部３２０，３２０（図８（ａ））から漏れるようにして、照明光ＳＬのうち周辺の光が一部透過する。
このように、遮光シャッター３２６，３２７が最大遮光状態としたときに、照明光ＳＬのうち中心側の光を遮光するとともに周辺の光を一部透過させることが、コントラスト向上に寄与する。
【００６２】
以上のように、本実施形態のプロジェクター１は、一対の遮光シャッター３２６，３２７を有する調光機構３２５を備えており、これら各遮光シャッター３２６，３２７を所定の回転軸のまわりに回転させて光源３１１からの光束を部分的に遮光することによって、調光を行う構成となっている。
各遮光シャッター３２６，３２７は、それぞれ１枚の基材１００を折り返すことで形成されたもので、製造が容易であるとともに使用時における不具合なくすことが可能である。つまり、各シャッター３２６，３２７がそれぞれ有している遮光板部６，７を別々の基材を用いて形成しようとすると、これら遮光板部６，７を互いに貼り合せる工程が必要になってくる。これら２つの部品をスポット溶接などにより接合させた場合、溶接部分が変色するためにその部分に熱が溜まってしまう。高温になった溶接部分は次第に溶融する。また、溶接部分が照明光の光路外（有効範囲外）となるような形状にすると遮蔽シャッターが大型化するだけでなく、部分的な接合のため強度の面でも問題がある。
２つの部品をかしめ接合させた場合も同様に、接合部分に変色が生じたり、表面が荒れることで高温になったりすることがある。これに加えて加工工数が増加する等の問題もある。
【００６３】
これに対して本実施形態の遮光シャッター３２６，３２７は、１つの基材１００を所定の位置で折り返すことで対向した部分から遮光板部６，７が形成されているので、従来のようにスポット溶接等が不要になる。このため、接合による変色等が生じず、ある程度高温に達した場合でも部分的に溶けてしまうという不具合を回避することができる。
また、本実施形態では、折り返すことで対向した基材１００の端部１０１ａ，１０１ｂ同士をかしめピン（不図示）などを用いて固定している。このかしめ固定は、端部１０１ａ，１０１ｂ間の離れ防止のためであることから基材１００ごとに一箇所だけで済む。仮に、２つの板部材が位置合わせされた状態を１箇所のかしめ固定のみで長期間維持するようなことは難しく、複数個所での固定が必要となってしまう。
したがって、本実施形態の構成であれば、加工工程数が減少して製造が容易になるとともに部分的な接合と違って強度の問題も解消される。さらに照明光の照射量が少ない端部１０１ａ，１０１ｂをかしめているのでかしめ部の熱による劣化も抑えることができる。
【００６４】
また、本実施形態の調光機構３２５であれば、一対の遮光シャッター３２６，３２７が光軸Ｌに沿って並べて配置されることから、全閉時に遮光部６１ａ，６１ｂが重なることで、照明光のうち最も輝度の高い中央の光を完全に遮光させることができる。これにより、所望のコントラストを得ることができる。
【００６５】
さらに、第１切欠部３２０および第２切欠部３３０により、遮光量の変化を比較的なだらかなものにし、かつ、最大遮光状態において照明光量を十分に下げることができる。また、遮光シャッター３２６，３２７およびその周辺構造は簡単な構成で安価に作製できるものであり、コストを抑えてコントラスト比の高い表示画像を投写することが可能な、高性能なプロジェクターが得られる。
【００６６】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００６７】
先の実施形態では、一対の遮光シャッター３２６，３２７が光軸方向でずれるようにして配置された構成について述べたが、図１５に示すように、遮光シャッター３２６，３２７の位置を光軸方向で一致させて配置してもよい。この場合、全閉時には各遮光シャッター３２６，３２７の先端部３２６ａ，３２７ａどうしが当接することとなる。また、このような構成にする場合には、同期して回転する遮光シャッター３２６，３２７の遮光作用が互いに等しくなるような形状となっていることが好ましい。
【００６８】
また、遮光シャッター３２６，３２７を構成する基材１００の折り返し方向は、光軸Ｌに直交する水平方向に一致する方向でなくても良い。例えば、遮光板部６Ａ，６Ｂの遮光部６１ａ，６１ｂの先端側に折り返し部１１０が形成されるようにしてもいいし、遮光板部６Ａ，６Ｂの遮光部６１ａ，６１ｂとは反対側の端部に折り返し部１１０が形成されるようにしてもよい。
【００６９】
先の実施形態では第２切欠部３３０を設けた構成としたが、必ずしもこれに限定されるのではなく、第２切欠部３３０が設けられていない構成としても構わない。しかしながら、色むら抑制のためには第２切欠部３３０を設けることが望ましい。
【符号の説明】
【００７０】
１…プロジェクター、Ｌ…光軸、Ｏ…回転軸、３２…照明光学装置（照明光学系）、６１ａ，６１ｂ…遮光部（第１遮光部）、７１ａ，７１ｂ…遮光部（第２遮光部）、３１１…光源、３２０…切欠部、３２０…第１切欠部、３２５…調光機構（遮光機構）、３２６…遮光シャッター（遮光板部）、３２６，３２７…遮光シャッター（遮光部材）、３２６ａ，３２７ａ…先端部、３２８・・・遮光部、３２９・・・駆動部、３３０…第２切欠部、３５２…液晶ライトバルブ（光変調装置）
【図１】
0005919681.tif 000002
【図２】
0005919681.tif 000003
【図３】
0005919681.tif 000004
【図４】
0005919681.tif 000005
【図５】
0005919681.tif 000006
【図６】
0005919681.tif 000007
【図７】
0005919681.tif 000008
【図８】
0005919681.tif 000009
【図９】
0005919681.tif 000010
【図１０】
0005919681.tif 000011
【図１１】
0005919681.tif 000012
【図１２】
0005919681.tif 000013
【図１３】
0005919681.tif 000014
【図１４】
0005919681.tif 000015
【図１５】
0005919681.tif 000016